(57)【要約】【課題】別途、偏光変換素子を用いることなく、簡素な構成にて、２つの対物レンズに異なる波長のレーザ光を効率的に導くことができる光ピックアップ装置を提供する。【解決手段】偏光ミラー面１１０ａにてＨＤ／ＢＤ用レーザ光をＢＤ用対物レンズ１１７とＨＤ/ＤＶＤ/ＣＤ用対物レンズ１１８に振り分ける。ＤＶＤ用レーザ光とＣＤ用レーザ光は、偏光ミラー面１１０ａと透過し、ＨＤ/ＤＶＤ/ＣＤ用対物レンズ１１８に導かれる。ＢＤ用対物レンズ１１７を経由した反射光は、偏光性回折素子１２１によって進行方向が一定角度だけ曲げられる。これにより、光検出上では、ＢＤ用対物レンズ１１７を経由した反射光とＨＤ/ＤＶＤ/ＣＤ用対物レンズ１１８を経由した反射光の収束位置が分離され、一方の反射光が他方の反射光を受光するセンサーパターンに入射することはない。【選択図】図１
2008047200.tif 000002
【特許請求の範囲】
【請求項１】
第１の波長のレーザ光を出射する第１の光源と、
第２の波長のレーザ光を出射する第２の光源と、
前記第１および第２の波長のレーザ光の光軸を一致させる光学素子と、
前記光学素子を経由したレーザ光が入射される偏光ビームスプリッタと、
前記偏光ビームスプリッタにて反射された前記レーザ光を記録媒体上に収束させる第１の対物レンズと、
前記偏光ビームスプリッタを透過した前記レーザ光を記録媒体上に収束させる第２の対物レンズと、
前記第１の対物レンズと前記偏光ビームスプリッタの間に配された第１のλ／４板と、
前記第２の対物レンズと前記偏光ビームスプリッタの間に配された第２のλ／４板とを有し、
前記偏光ビームスプリッタに対するＰ偏光とＳ偏光の比率が、前記第１の対物レンズと前記第２の対物レンズの両方に前記レーザ光を分光する値となるよう、前記偏光ビームスプリッタに入射する際の前記第１の波長のレーザ光の偏光方向が調整され、
前記偏光ビームスプリッタに対してＰ偏光またはＳ偏光の状態で入射するよう、前記偏光ビームスプリッタに入射する際の前記第２の波長のレーザ光の偏光方向が調整されている、
ことを特徴とする光ピックアップ装置。
【請求項２】
第１の波長のレーザ光を出射する第１の光源と、
第２の波長のレーザ光を出射する第２の光源と、
前記第１および第２の波長のレーザ光の光軸を一致させる光学素子と、
前記光学素子を経由したレーザ光が入射される偏光ビームスプリッタと、
前記偏光ビームスプリッタを透過した前記レーザ光を前記偏光ビームスプリッタによって反射されたレーザ光の進行方向と同一方向に反射するミラーと、
前記偏光ビームスプリッタにて反射された前記レーザ光を記録媒体上に収束させる第１の対物レンズと、
前記ミラーにて反射された前記レーザ光を記録媒体上に収束させる第２の対物レンズと、
前記第１の対物レンズと前記偏光ビームスプリッタの間に配された第１のλ／４板と、
前記第２の対物レンズと前記偏光ビームスプリッタの間に配された第２のλ／４板とを有し、
前記偏光ビームスプリッタに対するＰ偏光とＳ偏光の比率が、前記第１の対物レンズと前記第２の対物レンズの両方に前記レーザ光を分光する値となるよう、前記偏光ビームスプリッタに入射する際の前記第１の波長のレーザ光の偏光方向が調整され、
前記偏光ビームスプリッタに対してＰ偏光またはＳ偏光の状態で入射するよう、前記偏光ビームスプリッタに入射する際の前記第２の波長のレーザ光の偏光方向が調整されている、
ことを特徴とする光ピックアップ装置。
【請求項３】
請求項２に記載の光ピックアップ装置において、
前記偏光ビームスプリッタにて反射された前記レーザ光と前記ミラーにて反射された前記レーザ光を前記第１および第２の対物レンズの方向に反射する立ち上げミラーをさらに備える、
ことを特徴とする光ピックアップ装置。
【請求項４】
第１の波長のレーザ光を出射する第１の光源と、
第２の波長のレーザ光を出射する第２の光源と、
前記第１および第２の波長のレーザ光の光軸を一致させる光学素子と、
前記光学素子を経由したレーザ光が入射される偏光ビームスプリッタと、
前記偏光ビームスプリッタによって反射された前記レーザ光を前記偏光ビームスプリッタを透過したレーザ光の進行方向と同一方向に反射するミラーと、
前記偏光ビームスプリッタを透過した前記レーザ光を記録媒体上に収束させる第１の対物レンズと、
前記ミラーにて反射された前記レーザ光を記録媒体上に収束させる第２の対物レンズと、
前記第１の対物レンズと前記偏光ビームスプリッタの間に配された第１のλ／４板と、
前記第２の対物レンズと前記偏光ビームスプリッタの間に配された第２のλ／４板とを有し、
前記偏光ビームスプリッタに対するＰ偏光とＳ偏光の比率が、前記第１の対物レンズと前記第２の対物レンズの両方に前記レーザ光を分光する値となるよう、前記偏光ビームスプリッタに入射する際の前記第１の波長のレーザ光の偏光方向が調整され、
前記偏光ビームスプリッタに対してＰ偏光またはＳ偏光の状態で入射するよう、前記偏光ビームスプリッタに入射する際の前記第２の波長のレーザ光の偏光方向が調整されている、
ことを特徴とする光ピックアップ装置。
【請求項５】
請求項４に記載の光ピックアップ装置において、
前記偏光ビームスプリッタにて反射された前記レーザ光と前記ミラーにて反射された前記レーザ光を前記第１および第２の対物レンズの方向に反射する立ち上げミラーをさらに備える、
ことを特徴とする光ピックアップ装置。
【請求項６】
請求項２ないし５の何れか一項に記載の光ピックアップ装置において、
前記偏光ビームスプリッタと前記ミラーは、一体的に形成されている、
ことを特徴とする光ピックアップ装置。
【請求項７】
請求項１ないし６の何れか一項に記載の光ピックアップ装置において、
前記偏光ビームスプリッタに対する前記第１の波長のレーザ光のＰ偏光とＳ偏光の比率が１：１となっている、
ことを特徴とする光ピックアップ装置。
【請求項８】
請求項１ないし６の何れか一項に記載の光ピックアップ装置において、
前記偏光ビームスプリッタに対する前記第１の波長のレーザ光のＰ偏光とＳ偏光の比率が不均衡となっている、
ことを特徴とする光ピックアップ装置。
【請求項９】
請求項１ないし８の何れか一項に記載の光ピックアップ装置において、
前記記録媒体からの反射光を受光する光検出器と、
前記偏光ビームスプリッタと前記第１のλ／４板の間の光路と、前記偏光ビームスプリッタと前記第２のλ／４板の間の光路の何れか一方に配され、前記記録媒体によって反射される前記第１の波長のレーザ光の反射光のうち、前記偏光ビームスプリッタに対してＰ偏光またはＳ偏光となる反射光に回折作用を付与して、これら反射光を前記光検出器上の異なるセンサーパターン上に導く偏光性回折素子をさらに備える、
ことを特徴とする光ピックアップ装置。
【請求項１０】
請求項９に記載の光ピックアップ装置おいて、
前記偏光性回折素子は、前記第２の波長のレーザ光が通らない方の光路に配されている、
ことを特徴とする光ピックアップ装置。
【請求項１１】
請求項１ないし８の何れか一項に記載の光ピックアップ装置において、
前記記録媒体からの反射光を受光する光検出器と、
前記偏光ビームスプリッタと前記光検出器の間に配され、前記記録媒体によって反射される前記第１の波長のレーザ光の反射光のうち、前記偏光ビームスプリッタに対してＰ偏光またはＳ偏光となる反射光に回折作用を付与して、これら反射光を前記光検出器上の異なるセンサーパターン上に導く偏光性回折素子とをさらに備える、
ことを特徴とする光ピックアップ装置。
【請求項１２】
請求項１１に記載の光ピックアップ装置において、
前記偏光性回折素子は、前記レーザ光が収束光となっている光路中に配されている、
ことを特徴とする光ピックアップ装置。
【請求項１３】
請求項９ないし１２の何れか一項に記載の光ピックアップ装置において、
前記第２の光源は、さらに、第３の波長のレーザ光を前記第２の波長のレーザ光に対して所定距離ｄだけ光軸ずれした状態で前記第２の波長のレーザ光と同一方向に出射し、該第３の波長のレーザ光は、前記光軸ずれ状態のまま前記偏光ビームスプリッタに入射され、
前記光軸ずれの距離ｄと前記偏光性回折素子における回折作用は、前記記録媒体によって反射された前記第３の波長のレーザ光が、前記第１の波長のレーザ光の反射光のうち前記偏光性回折素子によって回折される方の反射光を受光するセンサーパターンに照射されるよう設定されている、
ことを特徴とする光ピックアップ装置。
【請求項１４】
請求項９ないし１２の何れか一項に記載の光ピックアップ装置において、
前記第２の光源は、さらに、第３の波長のレーザ光を前記第２の波長のレーザ光に対して所定距離ｄだけ光軸ずれした状態で前記第２の波長のレーザ光と同一方向に出射し、
前記第３の波長のレーザ光の光軸を前記第２の波長のレーザ光の光軸に整合させる波長選択性の光軸調整素子をさらに有する、
ことを特徴とする光ピックアップ装置。
【発明の詳細な説明】
【技術分野】
【０００１】
本発明は、光ピックアップ装置に関するものであり、特に、２つ以上の対物レンズが配された互換型の光ピックアップ装置に用いて好適なものである。
【背景技術】
【０００２】
基板厚の異なる数種のディスクに対応可能な互換型光ピックアップでは、２つ以上の対物レンズを用いる方式が考えられる。この場合、レーザ光を何れの対物レンズに導くかを適宜設定できる構成が光学系内に必要となる。この構成として、たとえば、以下の特許文献１、２に示す構成を用いることができる。
【０００３】
図１１に、特許文献１、２に記載の構成例を示す。図において、１は半導体レーザ、２はコリメータレンズ、３は偏光変換素子、４は偏光ビームスプリッタ、５はミラー、６はλ／４波長板、７は第１の対物レンズ、８は第２の対物レンズ、９は光検出系である。
【０００４】
半導体レーザ１から出射されたレーザ光は、コリメータレンズ２で平行光とされた後、偏光変換素子３によって偏光方向が調整される。レーザ光の偏光方向が第１の方向にあるとき、レーザ光は、偏光ビームスプリッタ４にて、第１の対物レンズ７に向かう方向に反射される。また、レーザ光の偏光方向が第１の方向に直交する第２の方向にあるとき、レーザ光は、偏光ビームスプリッタ４を透過し、ミラー５を介して、第２の対物レンズ８に入射される。このように、偏光変換素子３によってレーザ光の偏光方向を第１の方向と第２の方向の間で切り替えることにより、レーザ光が入射される対物レンズが変更される。
【特許文献１】特開平９−２１２９０５号公報
【特許文献２】特開２００１−３４４８０３号公報
【発明の開示】
【発明が解決しようとする課題】
【０００５】
上記従来の構成例では、別途、偏光変換素子３が必要であるため、光学系のコストが上昇するとの問題が生じる。また、使用するレーザ光を切り替えるために偏光変換素子３を随時切り替えなければならず、このため、偏光変換素子３をアクティブに制御するための構成がドライブ側に必要となる。
【０００６】
さらに、最近では、異なる波長のレーザ光をディスクに照射し得る互換型光ピックアップ装置が開発されている。この場合、それぞれの対物レンズに各波長のレーザ光を効率的に振り分けるための構成が必要となる。
【０００７】
本発明は、このような課題に鑑みてなされたものであり、別途、偏光変換素子を用いることなく、簡素な構成にて、２つの対物レンズに異なる波長のレーザ光を効率的に導くことができる光ピックアップ装置を提供することを課題とする。
【課題を解決するための手段】
【０００８】
上記課題に鑑み本発明は、以下の特徴を有する。
【０００９】
請求項１の発明は、光ピックアップ装置において、第１の波長のレーザ光を出射する第１の光源と、第２の波長のレーザ光を出射する第２の光源と、前記第１および第２の波長のレーザ光の光軸を一致させる光学素子と、前記光学素子を経由したレーザ光が入射される偏光ビームスプリッタと、前記偏光ビームスプリッタにて反射された前記レーザ光を記録媒体上に収束させる第１の対物レンズと、前記偏光ビームスプリッタを透過した前記レーザ光を記録媒体上に収束させる第２の対物レンズと、前記第１の対物レンズと前記偏光ビームスプリッタの間に配された第１のλ／４板と、前記第２の対物レンズと前記偏光ビームスプリッタの間に配された第２のλ／４板とを有し、前記偏光ビームスプリッタに対するＰ偏光とＳ偏光の比率が、前記第１の対物レンズと前記第２の対物レンズの両方に前記レーザ光を分光する値となるよう、前記偏光ビームスプリッタに入射する際の前記第１の波長のレーザ光の偏光方向が調整され、前記偏光ビームスプリッタに対してＰ偏光またはＳ偏光の状態で入射するよう、前記偏光ビームスプリッタに入射する際の前記第２の波長のレーザ光の偏光方向が調整されていることを特徴とする。
【００１０】
請求項２の発明は、光ピックアップ装置において、第１の波長のレーザ光を出射する第１の光源と、第２の波長のレーザ光を出射する第２の光源と、前記第１および第２の波長のレーザ光の光軸を一致させる光学素子と、前記光学素子を経由したレーザ光が入射される偏光ビームスプリッタと、前記偏光ビームスプリッタを透過した前記レーザ光を前記偏光ビームスプリッタによって反射されたレーザ光の進行方向と同一方向に反射するミラーと、前記偏光ビームスプリッタにて反射された前記レーザ光を記録媒体上に収束させる第１の対物レンズと、前記ミラーにて反射された前記レーザ光を記録媒体上に収束させる第２の対物レンズと、前記第１の対物レンズと前記偏光ビームスプリッタの間に配された第１のλ／４板と、前記第２の対物レンズと前記偏光ビームスプリッタの間に配された第２のλ／４板とを有し、前記偏光ビームスプリッタに対するＰ偏光とＳ偏光の比率が、前記第１の対物レンズと前記第２の対物レンズの両方に前記レーザ光を分光する値となるよう、前記偏光ビームスプリッタに入射する際の前記第１の波長のレーザ光の偏光方向が調整され、前記偏光ビームスプリッタに対してＰ偏光またはＳ偏光の状態で入射するよう、前記偏光ビームスプリッタに入射する際の前記第２の波長のレーザ光の偏光方向が調整されていることを特徴とする。
【００１１】
請求項３の発明は、請求項２に記載の光ピックアップ装置において、前記偏光ビームスプリッタにて反射された前記レーザ光と前記ミラーにて反射された前記レーザ光を前記第１および第２の対物レンズの方向に反射する立ち上げミラーをさらに備えることを特徴とする。
【００１２】
請求項４の発明は、第１の波長のレーザ光を出射する第１の光源と、第２の波長のレーザ光を出射する第２の光源と、前記第１および第２の波長のレーザ光の光軸を一致させる光学素子と、前記光学素子を経由したレーザ光が入射される偏光ビームスプリッタと、前記偏光ビームスプリッタによって反射された前記レーザ光を前記偏光ビームスプリッタを透過したレーザ光の進行方向と同一方向に反射するミラーと、前記偏光ビームスプリッタを透過した前記レーザ光を記録媒体上に収束させる第１の対物レンズと、前記ミラーにて反射された前記レーザ光を記録媒体上に収束させる第２の対物レンズと、前記第１の対物レンズと前記偏光ビームスプリッタの間に配された第１のλ／４板と、前記第２の対物レンズと前記偏光ビームスプリッタの間に配された第２のλ／４板とを有し、前記偏光ビームスプリッタに対するＰ偏光とＳ偏光の比率が、前記第１の対物レンズと前記第２の対物レンズの両方に前記レーザ光を分光する値となるよう、前記偏光ビームスプリッタに入射する際の前記第１の波長のレーザ光の偏光方向が調整され、前記偏光ビームスプリッタに対してＰ偏光またはＳ偏光の状態で入射するよう、前記偏光ビームスプリッタに入射する際の前記第２の波長のレーザ光の偏光方向が調整されていることを特徴とする。
【００１３】
請求項５の発明は、請求項４に記載の光ピックアップ装置において、前記偏光ビームスプリッタにて反射された前記レーザ光と前記ミラーにて反射された前記レーザ光を前記第１および第２の対物レンズの方向に反射する立ち上げミラーをさらに備えることを特徴とする。
【００１４】
請求項６の発明は、請求項２ないし５の何れか一項に記載の光ピックアップ装置において、前記偏光ビームスプリッタと前記ミラーは、一体的に形成されていることを特徴とする。
【００１５】
請求項７の発明は、請求項１ないし６の何れか一項に記載の光ピックアップ装置において、前記偏光ビームスプリッタに対する前記第１の波長のレーザ光のＰ偏光とＳ偏光の比率が１：１となっていることを特徴とする。
【００１６】
請求項８の発明は、請求項１ないし６の何れか一項に記載の光ピックアップ装置において、前記偏光ビームスプリッタに対する前記第１の波長のレーザ光のＰ偏光とＳ偏光の比率が不均衡となっていることを特徴とする。
【００１７】
請求項９の発明は、請求項１ないし８の何れか一項に記載の光ピックアップ装置において、前記記録媒体からの反射光を受光する光検出器と、前記偏光ビームスプリッタと前記第１のλ／４板の間の光路と、前記偏光ビームスプリッタと前記第２のλ／４板の間の光路の何れか一方に配され、前記記録媒体によって反射される前記第１の波長のレーザ光の反射光のうち、前記偏光ビームスプリッタに対してＰ偏光またはＳ偏光となる反射光に回折作用を付与して、これら反射光を前記光検出器上の異なるセンサーパターン上に導く偏光性回折素子をさらに備えることを特徴とする。
【００１８】
請求項１０の発明は、請求項９に記載の光ピックアップ装置おいて、前記偏光性回折素子は、前記第２の波長のレーザ光が通らない方の光路に配されていることを特徴とする。
【００１９】
請求項１１の発明は、請求項１ないし８の何れか一項に記載の光ピックアップ装置において、前記記録媒体からの反射光を受光する光検出器と、前記偏光ビームスプリッタと前記光検出器の間に配され、前記記録媒体によって反射される前記第１の波長のレーザ光の反射光のうち、前記偏光ビームスプリッタに対してＰ偏光またはＳ偏光となる反射光に回折作用を付与して、これら反射光を前記光検出器上の異なるセンサーパターン上に導く偏光性回折素子とをさらに備えることを特徴とする。
【００２０】
請求項１２の発明は、請求項１１に記載の光ピックアップ装置において、前記偏光性回折素子は、前記第１の波長のレーザ光が収束光となっている光路中に配されていることを特徴とする。
【００２１】
請求項１３の発明は、請求項９ないし１２の何れか一項に記載の光ピックアップ装置において、前記第２の光源は、さらに、第３の波長のレーザ光を前記第２の波長のレーザ光に対して所定距離ｄだけ光軸ずれした状態で前記第２の波長のレーザ光と同一方向に出射し、該第３の波長のレーザ光は、前記光軸ずれ状態のまま前記偏光ビームスプリッタに入射され、前記光軸ずれの距離ｄと前記偏光性回折素子における回折作用は、前記記録媒体によって反射された前記第３の波長のレーザ光が、前記第１の波長のレーザ光の反射光のうち前記偏光性回折素子によって回折される方の反射光を受光するセンサーパターンに照射されるよう設定されていることを特徴とする。
【００２２】
請求項１４の発明は、請求項９ないし１２の何れか一項に記載の光ピックアップ装置において、前記第２の光源は、さらに、第３の波長のレーザ光を前記第２の波長のレーザ光に対して所定距離ｄだけ光軸ずれした状態で前記第２の波長のレーザ光と同一方向に出射し、前記第３の波長のレーザ光の光軸を前記第２の波長のレーザ光の光軸に整合させる波長選択性の光軸調整素子をさらに有することを特徴とする。
【発明の効果】
【００２３】
請求項１の発明によれば、偏光ビームスプリッタによって各波長のレーザ光が第１の対物レンズと第２の対物レンズに振り分けられる。ここで、第１の波長のレーザ光は、偏光ビームスプリッタに対するＰ偏光とＳ偏光の比率に応じて、第１の対物レンズと第２の対物レンズに分配される。すなわち、第１の波長のレーザ光は、この比率に応じた光量分が偏光ビームスプリッタによって反射され、残りの光量分が偏光ビームスプリッタを透過する。従って、第１の対物レンズと第２の対物レンズには、第１の波長レーザ光が、前記比率に応じた割合にて入射される。第２の波長のレーザ光は、略全光量が、第１の対物レンズと第２の対物レンズの何れかに入射される。
【００２４】
このように、請求項１の発明によれば、レーザ光の偏光方向を調整することによって、第１の対物レンズと第２の対物レンズに各波長のレーザ光が分配されるため、別途、偏光変換素子を配する必要がなく、よって、上記従来例に比べ、光学系の簡素化と、コストの抑制を図ることができる。また、請求項１の発明によれば、上記従来例のように偏光変換素子をアクティブに制御する必要がないため、ドライブ側の負担を軽減できる。
【００２５】
また、請求項２の発明によれば、上記請求項１の発明と同様、レーザ光の偏光方向を調整することによって、各波長のレーザ光が第１の対物レンズと第２の対物レンズに分配されるため、別途、偏光変換素子を配する必要がなく、よって、上記請求項１の発明と同様、光学系の簡素化とコストの抑制を図ることができ、また、ドライブ側の負担を軽減することができる。
【００２６】
加えて、請求項３の発明によれば、光源から立ち上げミラーまでの光学系を、第１および第２の対物レンズの光軸に直交する平面上に配置することができるため、光ピックアップ装置の薄型化を図ることができる。
【００２７】
また、請求項４の発明によれば、上記請求項１、２の発明と同様、レーザ光の偏光方向を調整することによって、各波長のレーザ光が第１の対物レンズと第２の対物レンズに分配されるため、別途、偏光変換素子を配する必要がなく、よって、上記請求項１、２の発明と同様、光学系の簡素化とコストの抑制を図ることができ、また、ドライブ側の負担を軽減することができる。
【００２８】
加えて、請求項５の発明によれば、上記請求項３の発明と同様、光源から立ち上げミラーまでの光学系を、第１および第２の対物レンズの光軸に直交する平面上に配置することができるため、光ピックアップ装置の薄型化を図ることができる。
【００２９】
さらに、請求項６の発明のように、偏光ビームスプリッタとミラーを一体化すれば、部品点数を削減することができ、光学系の簡素化と、光学部品の配置の容易化を図ることができる。
【００３０】
また、請求項７の発明によれば、第１の波長のレーザ光が第１の対物レンズと第２の対物レンズに均等に分配される。この発明によれば、各対物レンズからのレーザ光を用いて記録および再生を行う場合に、限られた出力範囲のレーザ光を各対物レンズに円滑に分配することができる。
【００３１】
また、請求項８の発明によれば、第１の波長のレーザ光が第１の対物レンズと第２の対物レンズに不均衡に分配される。ここで、この不均衡の程度は、以下のような観点から調整される。
【００３２】
たとえば、一方の対物レンズを記録用に用い、他方は再生専用に用いる場合、記録に用いる方の対物レンズにより多く、第１の光源からのレーザ光を分配するのが好ましい。また、２つの対物レンズを共に再生専用に用いる場合でも、対物レンズの有効径や開口数の違い等によって、第１の波長のレーザ光の利用効率に差が生じ、その結果、記録媒体上のスポット光量に差が生じる場合がある。この場合にも、スポット光量を適正化するために、各対物レンズに分配される第１の波長のレーザ光の光量を調整するのが好ましい。なお、スポット光量のアンバランスは、偏光ビームスプリッタから各対物レンズまでの間の光路に配された光学素子の違いによっても生じる。したがって、この場合にも、スポット光量を適正化するために、各対物レンズに分配される第１の波長のレーザ光の光量を調整するのが好ましい。さらに、記録・再生に必要とされるレーザパワーは記録媒体毎に相違する場合があり、このような場合にも、各記録媒体に適正なパワーにて第１の波長のレーザ光を照射するために、各対物レンズに分配される第１の波長のレーザ光の光量を調整する必要がある。
【００３３】
請求項８の発明における「Ｐ偏光とＳ偏光の比率の不均衡」は、このような観点から、各対物レンズに適正パワーのレーザ光が分配されるよう調整される。たとえば、記録・再生に必要とされるレーザパワーが記録媒体毎に相違する場合には、対応する記録媒体に必要とされるレーザパワーの最大値を第１および第２の対物レンズについて設定し、第１の対物レンズに設定されたレーザパワーの最大値と第２の対物レンズに設定されたレーザパワーの最大値の比に等しくなるよう、Ｐ偏光とＳ偏光の比率を設定する。もちろん、これ以外のファクターをも併せて勘案する場合には、それに応じて、さらに、Ｐ偏光とＳ偏光の比率が調整される。
【００３４】
請求項８の発明によれば、このように、Ｐ偏光とＳ偏光の比率の不均衡とすることにより、レーザ光が各対物レンズに対し効率的に分配され、これにより、対象とされる記録媒体に対し適正パワーのレーザ光を照射することができる。
【００３５】
さらに、請求項９ないし１２の発明によれば、第１の対物レンズを経由した第１の波長のレーザ光の反射光と第２の対物レンズを経由した第１の波長のレーザ光の反射光が、偏光性回折素子によって、光検出器上で分離されるため、一方の対物レンズを用いて記録再生を行っているときに、当該対物レンズを経由した反射光を受光するセンサに、他方の対物レンズを経由した反射光が入射されることを回避でき、もって、安定した記録再生動作を実現できる。
【００３６】
なお、請求項１０の発明によれば、第２の波長のレーザ光は偏光性回折素子を通過しないため、この反射光が、偏光性回折素子から不要な回折作用を受けることはなく、また、この反射光に偏光性回折素子による減衰が生じることもない。
【００３７】
また、請求項１２の発明によれば、反射光が収束光となっている光路中に偏光性回折素子が配されているため、偏光性回折素子を光軸方向に移動させることにより、偏光性回折素子によって回折される反射光の集光位置および集光状態を、光検出器の受光面上において調整することができる。よって、光検出器上における第１の波長のレーザ光の反射光の調整を簡易化することができる。
【００３８】
また、請求項１３の発明によれば、第１の波長のレーザ光の反射光のうち偏光性回折素子によって回折される方の反射光を受光するセンサーパターンを、第３の波長のレーザ光を受光するセンサーパターンとして共用することができるため、光検出器上に配するセンサーパターンを簡略化することができる。
【００３９】
また、請求項１４の発明によれば、第２の波長のレーザ光を受光するセンサーパターンを、第３の波長のレーザ光を受光するセンサーパターンとして共用することができるため、光検出器上に配するセンサーパターンを簡略化することができる。なお、請求項１４の発明では、別途、波長選択性の光軸調整素子が配されるため、請求項１３の発明に比べ、部品点数が増加する。
【００４０】
本発明の特徴は、以下に示す実施の形態の説明により更に明らかとなろう。ただし、以下の実施の形態は、あくまでも一つの例示形態であって、本発明ないし各構成要件の用語の意義は、以下の実施の形態に記載されたものに制限されるものではない。
【発明を実施するための最良の形態】
【００４１】
以下、本発明の実施の形態につき図面を参照して説明する。なお、本実施の形態は、基板厚０．６ｍｍのＨＤＤＶＤ（High Definition Digital Versatile Disc、以下、「ＨＤ」と称する）と基板厚０．１ｍｍのＢＤ（ブルーレイディスク）と、既存のＤＶＤ（Digital Versatile Disc）およびＣＤ（Compact Disc）に対応可能な互換型光ピックアップ装置に本発明を適用したものである。
【００４２】
まず、図１に、実施の形態に係る光ピックアップ装置の光学系を示す。なお、同図には、便宜上、回路の構成（再生回路３０１、サーボ回路３０２、駆動回路３０３）が併せて示されている。
【００４３】
図示の如く、光ピックアップ装置の光学系は、ＨＤ／ＢＤ用レーザ１０１と、回折格子１０２と、ダイクロプリズム１０３、ＤＶＤ用レーザ１０４と、回折格子１０５と、ＣＤ用レーザ１０６と、回折格子１０７と、ダイクロプリズム１０８と、コリメータレンズ１０９と、分光ミラー１１０と、液晶素子１１１と、λ／４板１１２、１１３と、立ち上げミラー１１４、１１５と、ホルダー１１６と、ＢＤ用対物レンズ１１７と、ＨＤ/ＤＶＤ/ＣＤ用対物レンズ１１８と、対物レンズアクチュエータ１１９と、アナモレンズ１２０と、偏光性回折素子１２１と、光検出器１２２を備えている。
【００４４】
ＨＤ／ＢＤ用レーザ１０１は、青色波長（４０５ｎｍ程度）のレーザ光（以下、「ＨＤ／ＢＤ用レーザ光」と称する）を出射する。回折格子１０２は、ＨＤ／ＢＤ用レーザ光をメインビームと２つのサブビームに分割する。なお、本実施の形態では、ＨＤ／ＢＤ用レーザ光に対するトラッキングエラー信号の生成手法として、インライン方式のＤＰＰ（Differential Push Pull）法、すなわち、２つのサブビームがメインビームと同じく、トラック上に配置される方法が用いられている。したがって、回折格子１０２は、インライン方式のＤＰＰ法に応じた位相構造を有している。なお、インライン方式のＤＰＰ法およびその回折格子の構造は、たとえば、特開２００４−１４５９１５号公報に記載されている。
【００４５】
ダイクロプリズム１０３は、ＨＤ／ＢＤ用レーザ１０１から出射されるＨＤ／ＢＤ用レーザ光を透過し、ＤＶＤ用レーザ１０４およびＣＤ用レーザ１０６から出射されるレーザ光を反射する。
【００４６】
ＤＶＤ用レーザ１０４は、赤色波長（６５０ｎｍ程度）のレーザ光（以下、「ＤＶＤ用レーザ光」と称する）を出射する。回折格子１０５は、ＤＶＤ用レーザ光をメインビームと２つのサブビームに分割する。なお、本実施の形態では、ＤＶＤ用レーザ光に対するトラッキングエラー信号の生成手法として、上記ＨＤ／ＢＤ用レーザ光の場合と同様、インライン方式のＤＰＰ法が用いられている。したがって、回折格子１０５は、回折格子１０２と同様、インライン方式のＤＰＰ法に応じた位相構造を有している。
【００４７】
ＣＤ用レーザ１０６は、赤外波長（７８０ｎｍ程度）のレーザ光（以下、「ＣＤ用レーザ光」と称する）を出射する。回折格子１０７は、ＣＤ用レーザ光をメインビームと２つのサブビームに分割する。なお、本実施の形態では、ＣＤ用レーザ光に対するトラッキングエラー信号の生成手法として、上記ＨＤ／ＢＤ用レーザ光およびＤＶＤ用レーザ光の場合と異なり、通常のＤＰＰ法、すなわち、２つのサブビームがメインビームに対してそれぞれディスクの外周方向および内周方向に１／２トラックずれた位置に配置される方法が用いられている。
【００４８】
ダイクロプリズム１０８は、ＣＤ用レーザ光を透過し、ＤＶＤ用レーザ光を反射する。なお、ＨＤ／ＢＤ用レーザ１０１からダイクロプリズム１０８までの各光学素子は、ダイクロプリズム１０３を透過したＨＤ／ＢＤ用レーザ光の光軸と、ダイクロプリズム１０３にて反射されたＤＶＤ用レーザ光およびＣＤ用レーザ光の光軸が一致するよう配置されている。
【００４９】
コリメータレンズ１０９は、偏光ビームスプリッタ１０３側から入射されたレーザ光を平行光に変換する。
【００５０】
分光ミラー１１０は、透光性材料にて形成され、内部に偏光ミラー面１１０ａとミラー面１１０ｂを有している。分光ミラー１１０は、直方体形状を有しており、コリメータレンズ１０９に対向する側面と液晶素子１１１に対向する側面がそれぞれコリメータレンズ１０９の光軸とＨＤ/ＤＶＤ/ＣＤ用対物レンズ１１８およびＢＤ用対物レンズ１１７の光軸に直交するようにして配置されている。ここで、偏光ミラー面１１０ａとミラー面１１０ｂは、それぞれ、ＢＤ用対物レンズ１１７とＨＤ/ＤＶＤ/ＣＤ用対物レンズ１１８の光軸に対して４５°傾いた状態で、これら光軸上の位置に配置されている。
【００５１】
偏光ミラー面１１０ａは、入射されるレーザ光のうち、Ｐ偏光を透過し、Ｓ偏光を反射する。本実施の形態では、コリメータレンズ１０２から分光ミラー１１０に入射されるレーザ光のうち、ＤＶＤ用レーザ光とＣＤ用レーザ光は、偏光ミラー面１１０ａに対しＰ偏光で入射する。すなわち、ＤＶＤ用レーザ１０４とＣＤ用レーザ１０６は、それぞれのレーザ光が偏光ミラー面１１０ａに対しＰ偏光にて入射されるよう配置されている。したがって、ＤＶＤ用レーザ光とＣＤ用レーザ光は、偏光ミラー面１１０ａを透過し、ミラー面１０３ｂによって、Ｙ軸方向に反射される。
【００５２】
一方、ＨＤ／ＢＤ用レーザ光の偏光方向は、偏光ミラー面１１０ａに対するＰ偏光とＳ偏光の比率が１：１となるように調整されている。すなわち、ＨＤ／ＢＤ用レーザ１０１は、偏光ミラー面１１０ａに対するＰ偏光とＳ偏光の比率が１：１となる偏光方向にてレーザ光が分光ミラー１１０に入射されるよう配置されている。このため、分光ミラー１１０に入射されたＨＤ／ＢＤ用レーザ光は、偏光ミラー面１１０ａによって、その半分（Ｓ偏光成分）がＹ軸方向に反射される。偏光ミラー面１１０ａを透過した残り半分のＨＤ／ＢＤ用レーザ光（Ｐ偏光成分）は、ミラー面１０３ｂによって、Ｙ軸方向に反射される。
【００５３】
なお、このように偏光ミラー面１１０ａに対するＰ偏光とＳ偏光の比率を１：１とすることにより、ＨＤ／ＢＤ用レーザ光を、ＢＤ用対物レンズ１１７とＨＤ/ＤＶＤ/ＣＤ用対物レンズ１１８に均等に振り分けることができる。したがって、ＨＤ、ＢＤの両方に対して、再生に十分なパワーのレーザ光を照射することができる。
【００５４】
なお、何れか一方により多く、ＨＤ／ＢＤ用レーザ光を配分する場合には、偏光ミラー面１１０ａに対するＰ偏光とＳ偏光の比率を不均衡とすれば良い。
【００５５】
たとえば、ＢＤ用対物レンズ１１７からのレーザ光を用いて記録を行う場合には、偏光ミラー面１１０ａに対するＰ偏光とＳ偏光の比率を、Ｐ偏光：Ｓ偏光＝２：８に設定する。こうすると、ＨＤ／ＢＤ用レーザ１０１から出射されるレーザ光の８０％をＢＤ用対物レンズ１１７に導くことができる。これにより、ＢＤに対して記録に十分なパワーのレーザ光を照射することができる。この場合、ＨＤには、ＨＤ／ＢＤ用レーザ１０１から出射されるレーザ光の２０％が照射されるが、このレーザ光によっても、ＨＤの再生は十分に行える。したがって、このように偏光ミラー面１１０ａに対するＰ偏光とＳ偏光の比率をＰ偏光：Ｓ偏光＝２：８に設定すれば、ＢＤに対する記録とＨＤに対する再生を円滑に行うことができる。
【００５６】
また、ＢＤとＨＤとで記録・再生に必要なレーザパワーが相違する場合も、上記と同様、偏光ミラー面１１０ａに対するＨＤ／ＢＤ用レーザ光の偏光方向を調整すればよい。たとえば、ＢＤ（再生専用、追記型、書き換え可能型、単一記録層型、複数記録層）に要するレーザパワーの最大値がＰｗ１、ＨＤ（再生専用、追記型、書き換え可能型、単一記録層型、複数記録層）に要するレーザパワーの最大値がＰｗ２である場合、ＢＤ用対物レンズ１１７に入射するレーザ光の強度Ｐ１とＨＤ/ＤＶＤ/ＣＤ用対物レンズ１１８に入射するレーザ光の強度Ｐ２がＰ１：Ｐ２＝Ｐｗ１：Ｐｗ２となる偏光方向にて、偏光ミラー面１１０ａに対しレーザ光を入射させる。
【００５７】
液晶素子１１１は、駆動回路３０３からの駆動信号に応じて、レーザ光の波面状態を変化させ、光ディスク上および光検出器１２２上の収差を補正する。具体的には、再生ＲＦ信号が最良となるよう、レーザ光の波面状態が調整される。なお、液晶素子を用いた収差補正（球面収差補正）は、たとえば、特開平１０−２６９６１１号公報に記載されている。
【００５８】
図１の構成例では、分光ミラー１１０側から液晶素子１１１に入射するレーザ光（入射レーザ光）の偏光方向とλ／４板１１２、１１３側から液晶素子１１１に入射するレーザ光（反射レーザ光）の偏光方向が、λ／４板１１２、１１３による作用によって互いに直交する。このため、液晶素子１１１は、入射レーザ光用と反射レーザ光用の２つの液晶素子を重ねて構成される。駆動回路３０３は、再生ＲＦ信号の振幅が最適となるよう、各液晶素子を駆動制御する。
【００５９】
なお、偏光ミラー面１１０ａからλ／４板１１２へと向かうレーザ光（第１の入射レーザ光）は、λ／４板１１３からミラー面１１０ｂへと向かうレーザ光（第２の反射レーザ光）と偏光方向が一致し、また、λ／４板１１２から偏光ミラー面１１０ａへと向かうレーザ光（第１の反射レーザ光）は、ミラー面１１０ｂからλ／４板１１３へと向かうレーザ光（第２の入射レーザ光）と偏光方向が一致する。このため、液晶素子１１１を構成する２つの液晶素子のうち、一方（第１の液晶素子）を第１の入射レーザ光用とし、他方（第２の液晶素子）を第１の反射レーザ光用とすると、第２の入射レーザ光と第２の反射レーザ光に対する収差補正は、第１の液晶素子を第２の反射レーザ光用として用い、第２の液晶素子を第２の入射レーザ光用として用いて行われる。このように、駆動回路３０３は、使用レーザ光が何れの対物レンズに対応するものかに応じて、液晶素子１１１を構成する２つの液晶素子に対する制御を切り替える。
【００６０】
λ／４板１１２は、偏光ミラー面１１０ａにて反射されたレーザ光を円偏光に変換するとともに、ディスクからの反射光を、ディスクへ入射される際の偏光方向に直交する直線偏光に変換する。これにより、ディスクからの反射光は、偏光ミラー面１１０ａに対してＰ偏光となり、偏光ミラー面１１０ａを透過して光検出器１２２へと導かれる。
【００６１】
λ／４板１１３は、ミラー面１１０ｂにて反射されたレーザ光を円偏光に変換するとともに、ディスクからの反射光を、ディスクへ入射される際の偏光方向に直交する直線偏光に変換する。これにより、ディスクからの反射光は、偏光ミラー面１１０ａに対してＳ偏光となり、偏光ミラー面１１０ａによって反射されて光検出器１２２へと導かれる。
【００６２】
立ち上げミラー１１４、１１５は、λ／４板１１２、１１３にて円偏光に変換されたレーザ光をＢＤ用対物レンズ１１７とＨＤ/ＤＶＤ/ＣＤ用対物レンズ１１８の方向（同図のＺ軸方向）に反射する。
【００６３】
ホルダー１１６は、ＢＤ用対物レンズ１１７とＨＤ/ＤＶＤ/ＣＤ用対物レンズ１１８を一体的に保持する。ＢＤ用対物レンズ１１７は、ＨＤ／ＢＤ用レーザ光を、基板厚０．１ｍｍのＢＤ上に適正に収束できるよう設計されている。また、ＨＤ/ＤＶＤ/ＣＤ用対物レンズ１１８は、ＨＤ／ＢＤ用レーザ光、ＤＶＤ用レーザ光およびＣＤ用レーザ光を、基板厚０．６ｍｍのＨＤ、ＤＶＤおよび基板厚１．２ｍｍのＣＤ上に適正に収束できるよう設計されている。
【００６４】
なお、ＨＤ/ＤＶＤ/ＣＤ用対物レンズ１１８には、λ／４板１１３側のレーザ光入射面に、ＣＤ用レーザ光の入射瞳を制限するための波長選択性の膜が形成されている。これにより、ＨＤ/ＤＶＤ/ＣＤ用対物レンズ１１８に対するＣＤ用レーザ光の開口数ＮＡが、ＣＤの基板厚１．２ｍｍに適するものに調整される。
【００６５】
なお、以後、ディスクからの反射されるＨＤ／ＢＤ用レーザ光のうち、ＢＤ用対物レンズ１１７を経由するレーザ光をＢＤ反射光と称し、ＨＤ/ＤＶＤ/ＣＤ用対物レンズ１１８を経由するレーザ光をＨＤ反射光と称する。また、ディスクによって反射されたＤＶＤ用レーザ光およびＣＤ用レーザ光をそれぞれＤＶＤ反射光およびＣＤ反射光と称する。
【００６６】
対物レンズアクチュエータ１１９は、サーボ回路３０２からのサーボ信号に応じて、ホルダー１１６をフォーカス方向およびトラッキング方向に駆動する。これにより、ＢＤ用対物レンズ１１７とＨＤ/ＤＶＤ/ＣＤ用対物レンズ１１８は、フォーカス方向およびトラッキング方向に一体的に駆動される。なお、対物レンズアクチュエータ１１９には、たとえば、従来周知の電磁駆動方式のアクチュエータが用いられる。
【００６７】
アナモレンズ１２０は、ディスクによって反射されたレーザ光を光検出器１２２上に収束させる。アナモレンズは、集光レンズとシリンドリカルレンズから構成され、ディスクからの反射光に非点収差を導入する。
【００６８】
偏光性回折素子１２１は、Ｐ偏光にて入射されるレーザ光のみに回折作用を付与する。したがって、アナモレンズ１２０から入射されるレーザ光のうち、ＢＤ用対物レンズ１１７を経由したＢＤ反射光（Ｐ偏光）に対してのみ、偏光性回折素子１２１から回折作用が付与され、ＨＤ/ＤＶＤ/ＣＤ用対物レンズ１１８を経由したＨＤ反射光、ＤＶＤ反射光およびＣＤ反射光（Ｓ偏光）には、偏光性回折素子１２１からの回折作用は付与されない。これにより、ＢＤ反射光が、ＨＤ反射光、ＤＶＤ反射光およびＣＤ反射光から分離される。このようにして分離されたそれぞれの反射光は、光検出器１２２上に配された２つのセンサーパターンによって個別に受光される。
【００６９】
光検出器１２２は、受光したレーザ光の強度分布から再生ＲＦ信号、フォーカスエラー信号およびトラッキングエラー信号を導出するためのセンサーパターンを有している。各センサからの信号は、再生回路３０１、サーボ回路３０２および駆動回路３０３に出力される。
【００７０】
再生回路３０１は、光検出器１２２から受信したセンサ信号を演算処理して再生ＲＦ信号を導出し、これを復調して再生データを生成する。
【００７１】
サーボ回路３０２は、光検出器１２２から受信したセンサ信号を演算処理してトラッキングエラー信号およびフォーカスエラー信号を導出し、これに基づいてトラッキングサーボ信号およびフォーカスサーボ信号を生成して対物レンズアクチュエータ１１９に出力する。
【００７２】
駆動回路３０３は、上記の如く、再生ＲＦ信号を逐次モニタし、再生ＲＦ信号が最適となるよう、液晶素子１１１にサーボを掛ける。
【００７３】
図２に、偏光性回折素子１２１の構成を示す。なお、同図は、図１における偏光性回折素子１２１をＸ−Ｚ平面に平行な面で切断したときの断面構造である。
【００７４】
図示の如く、偏光性回折素子１２１は、透明基板１２１ａ上に、複屈折材料からなるブレーズ型回折構造１２１ｂを形成し、その上に、ガラス層１２１ｃと、透明基板１２１ｄを形成して構成される。ブレーズ型回折構造１２１ｂは、一定高さの鋸歯状ホログラムが一定ピッチにて形成されたものとなっている。
【００７５】
ここで、ブレーズ型回折構造１２１ｂの屈折率は、レーザ光がＰ偏光およびＳ偏光にて入射するときの屈折率をそれぞれｎｐおよびｎｓとし、ガラスの屈折率をｎ１とすると、ｎｐ≠ｎ１、ｎｓ＝ｎ１となるよう設定されている。したがって、レーザ光がＳ偏光にて偏光性回折素子１２１に入射する場合には、ブレーズ型回折構造１２１ｂの屈折率（ｎｓ）とガラスの屈折率（ｎ１）の間に差が生じず、このため、ブレーズ型回折構造１２１ｂは、回折格子として機能しない。これに対し、レーザ光がＰ偏光にて偏光性回折素子１２１に入射する場合には、ブレーズ型回折構造１２１ｂの屈折率（ｎｐ）とガラスの屈折率（ｎ１）の間に差が生じ、ブレーズ型回折構造１２１ｂは、回折格子として機能する。
【００７６】
なお、複屈折材料を用いた偏光性回折素子の原理については、たとえば、特開２００２−３６５４１６号公報に示されている。
【００７７】
図２に示す偏光性回折素子１２１では、ブレーズ型の回折構造によってレーザ光に回折作用を付与するようにしたため、＋１次光のみ、または、−１次光のみによる回折作用をレーザ光に付与することができ、よって、レーザ光の回折効率を高めることができる。
【００７８】
図３は、ディスク上におけるメインビームおよびサブビームの配置状態と、光検出器１２２に配されたセンサーパターンを示す図である。
【００７９】
同図（ａ）に示す如く、ＨＤ／ＢＤ用レーザ光とＤＶＤ用レーザ光は、トラック上一列に並ぶようにして、メインビームスポットと２つのサブビームスポットが配置される。これに対し、ＣＤ用レーザ光は、同図（ｂ）に示す如く、２つのサブビームスポットがメインビームスポットに対してそれぞれディスクの外周方向および内周方向に１／２トラックずれた位置に配置される。
【００８０】
ディスクからの反射光のうち、ＨＤ/ＤＶＤ/ＣＤ用対物レンズ１１８を経由したＨＤ反射光、ＤＶＤ反射光およびＣＤ反射光は、互いに光軸が一致した状態で光検出器１２２に入射され、光検出器１２２上のＨＤ/ＤＶＤ/ＣＤ用センサ１２２ｂ（同図（ｃ）参照）に受光される。これに対し、ＢＤ用対物レンズ１１７を経由したＢＤ反射光は、上記の如く、偏光性回折素子１２１を通過する際に進行方向が一定角度だけ曲げられ、その光軸が、ＨＤ/ＤＶＤ/ＣＤ用対物レンズ１１８を経由したＨＤ反射光、ＤＶＤ反射光およびＣＤ反射光から分離されるため、ＨＤ/ＤＶＤ/ＣＤ用センサ１２２ｂとは別のＢＤ用センサ１２２ａに受光される。
【００８１】
なお、図示の如く、ＢＤ用センサ１２２ａとＨＤ/ＤＶＤ/ＣＤ用センサ１２２ｂは、それぞれ、４分割センサ２０ａ、３０ａと、２つの２分割センサ２０ｂ、２０ｃおよび３０ｂ、３０ｃから構成されている。ＢＤ反射光のメインビームは、４分割センサ２０ａに照射され、２つのサブビームは、それぞれ２分割センサ２０ｂ、２０ｃに照射される。また、ＨＤ反射光、ＤＶＤ反射光およびＣＤ反射光のメインビームは、４分割センサ３０ａに照射され、２つのサブビームは、それぞれ２分割センサ３０ｂ、３０ｃに照射される。なお、ＣＤ反射光の２つのサブビームは、通常のＤＰＰ法に従うよう回折されているため、同図（ｃ）に示すスポット状態よりも分割線方向にややずれた位置に収束される。
【００８２】
図４は、ＢＤ用センサ１２２ａのセンサーパターンと、当該センサーパターンからの信号を演算処理する演算回路の構成を示す図である。なお、以下では、ＢＤ用センサ１２２ａのセンサーパターンとその演算回路について図４を参照して説明するが、ＨＤ/ＤＶＤ/ＣＤ用センサ１２２ｂのセンサーパターンとその演算回路も、図４と同様にして構成されており、ここでは、その説明を省略する。
【００８３】
図示の如く、ＢＤ用センサ１２２ａは、Ａ〜Ｄのセンサ領域からなる４分割センサ２０ａと２つの２分割センサ２０ｂ、２０ｃを備えている。ＢＤ反射光は、メインビームの光軸が４分割センサ２０ａの分割線の交差点を貫き、２つのサブビームが２分割センサ２０ｂ、２０ｃの分割線の中央を貫くようにして、ＢＤ用センサ１２２ａ上に照射される。なお、同図には、オンフォーカス状態におけるメインビームとサブビームの集光スポットが点線で示されている。
【００８４】
演算増幅回路２０１は、４分割センサ２０ａのセンサ領域Ａ〜Ｄから出力される信号（以下、センサ領域Ａ、Ｂ、Ｃ、Ｄから出力される各信号をＡ、Ｂ、Ｃ、Ｄと記載する）をもとに、（Ａ＋Ｃ）−（Ｂ＋Ｄ）の演算増幅を実行し、フォーカスエラー信号ＦＥを生成する。生成されたフォーカスエラー信号ＦＥは、サーボ回路３０２に入力される。
【００８５】
演算増幅回路２０２は、４分割センサ２０ａのセンサ領域Ａ〜Ｄから出力される信号をもとに、Ａ＋Ｂ＋Ｃ＋Ｄの演算増幅を実行し、再生信号ＲＦを生成する。生成された再生信号ＲＦは再生回路３０１と駆動回路３０３に入力される。
【００８６】
演算増幅回路２０３は、４分割センサ２０ａのセンサ領域Ａ〜Ｄから出力される信号をもとに、（Ａ＋Ｂ）−（Ｃ＋Ｄ）の演算増幅を実行し、信号ＭＰＰを生成する。
【００８７】
演算増幅回路２０４は、２分割センサ２０ｂのセンサ領域Ｅ、Ｆから出力される信号（以下、センサ領域Ｅ、Ｆから出力される各信号をＥ、Ｆと記載する）と、２分割センサ２０ｃのセンサ領域Ｇ、Ｈから出力される信号（以下、センサ領域Ｇ、Ｈから出力される各信号をＧ、Ｈと記載する）をもとに、（Ｅ＋Ｇ）−（Ｆ＋Ｈ）の演算増幅を実行し、信号ＳＰＰを生成する。
【００８８】
アンプ回路２０５は、演算増幅回路２０４にて生成された信号ＳＰＰを、予め設定された倍率にて増幅する。
【００８９】
演算増幅回路２０６は、演算増幅回路２０３にて生成された信号ＭＰＰから演算増幅回路２０４にて生成された信号ＳＰＰを減算し、トラッキングエラー信号ＴＥを生成する。生成されたトラッキングエラー信号ＴＥは、サーボ回路３０２に入力される。
【００９０】
なお、本実施の形態では、分光ミラー１１０によって分光された２つのＨＤ／ＢＤ用レーザ光がそれぞれＢＤ用対物レンズ１１７とＨＤ/ＤＶＤ/ＣＤ用対物レンズ１１８に同時に入射するため、上述の偏光性回折素子１２１が配されていなければ、ＢＤ反射光と、ＨＤ反射光が、同時に光検出器１２２上の同一位置に導かれてしまう。このため、一方の対物レンズを用いて再生が行われる場合に、他方の対物レンズを経由した不要な反射光が光検出器１２２へと導かれ、この不要な反射光が、再生ＲＦ信号や、フォーカスエラー信号、トラッキングエラー信号に悪影響を及ぼすことが起こり得る。
【００９１】
しかし、本実施の形態では、偏光性回折素子１２１を配したことにより、ＨＤ/ＤＶＤ/ＣＤ用対物レンズ１１８を経由したＨＤ反射光とＢＤ用対物レンズ１１７を経由したＢＤ反射光が光検出器１２２上において分離され、各反射光は、それぞれ異なるセンサ上に収束される。よって、本実施の形態では、一方の対物レンズを用いて再生が行われる場合に、当該対物レンズを経由した反射光を受光するセンサーパターンに、他方の対物レンズを経由した不要な反射光が入射することはなく、この不要な反射光が、再生ＲＦ信号や、フォーカスエラー信号、トラッキングエラー信号に悪影響を及ぼす惧れはない。
【００９２】
以上、本実施の形態によれば、上記従来例のように偏光変換素子を用いることなく、ＨＤ／ＢＤ用レーザ光、ＤＶＤ用レーザ光およびＣＤ用レーザ光を、ＢＤ用対物レンズ１１７とＨＤ/ＤＶＤ/ＣＤ用対物レンズ１１８に導くことができる。よって、上記従来例に比べ、偏光変換素子を省略することができ、光学系のコストを抑制することができる。
【００９３】
また、本実施の形態によれば、ＨＤ/ＤＶＤ/ＣＤ用対物レンズ１１８を経由したＨＤ反射光とＢＤ用対物レンズ１１７を経由したＢＤ反射光が光検出器１２２上において分離されるため、上記の如く、一方の対物レンズを用いて再生が行われる場合に、当該対物レンズを経由した反射光を受光するセンサーパターンに、他方の対物レンズを経由した不要な反射光が入射することはなく、この不要な反射光が、再生ＲＦ信号や、フォーカスエラー信号、トラッキングエラー信号に悪影響を及ぼす惧れはない。
【００９４】
また、本実施の形態によれば、偏光性回折素子１２１が収束光中に配されているため、偏光性回折素子１２１を光軸方向に移動させることにより、偏光性回折素子１２１によって回折される方の反射光、すなわち、ＢＤ反射光の集光位置および集光状態を、光検出器１２２の受光面上において調整することができる。よって、この本実施の形態によれば、光検出器１２２上におけるＢＤ反射レーザ光の調整を簡易化することができる。
【００９５】
さらに、本実施の形態によれば、ＨＤ反射光、ＤＶＤ反射光およびＣＤ反射光を共通のセンサ（ＨＤ/ＤＶＤ/ＣＤ用センサ１２２ｂ）にて受光できるため、光検出器１２２上のセンサーパターンを簡略化することができる。
【００９６】
また、本実施の形態によれば、ＢＤ反射光のみをＢＤ用センサ１２２ａにて受光するようにしたため、ＢＤ用センサ１２２ａのセンサーパターンを適宜、ＢＤ固有の要請に応じたものに設定することができる。なお、ＢＤ固有の要請に応じたセンサーパターンとして、たとえば、特開２００６−４５１１号公報に記載のものが知られている。
【００９７】
なお、上記実施の形態では、アナモレンズ１２０と光検出器１２２の間に偏光性回折素子１２１を配するようにしたが、これに代えて、分光ミラー１１０とλ／４板１１２の間の光路中に偏光性回折素子１２１を配するようにすることもできる。
【００９８】
図５は、液晶素子１１１とλ／４板１１２の間に偏光性回折素子１３３を配する場合の構成例を示す図である。なお、この構成例では、図１に示す分光ミラー１１０が、偏光ビームスプリッタ１３１とミラー１３２に分離されている。また、偏光ビームスプリッタ１３１に対するＰ偏光とＳ偏光の比率が、Ｐ偏光：Ｓ偏光＝２：８となるよう、ＨＤ／ＢＤ用レーザ１０１の配置が調整されている。すなわち、この構成例は、ＢＤ用レーザ光にてＢＤに記録を行う場合に用いて好適なものである。
【００９９】
本構成例では、レーザ光がＰ偏光にて偏光性回折素子１２１に入射する場合にのみレーザ光に回折作用が付与されるため、液晶素子１１１側から入射するＨＤ／ＢＤ用レーザ光（Ｓ偏光）には回折作用は付与されず、λ／４板１１２側から入射するＢＤ反射光（Ｐ偏光）に対して回折作用が付与される。したがって、ＢＤ用対物レンズ１１７を経由したＢＤ反射光は、偏光性回折素子１３３を通過する際に一定角度だけ進行方向が変更され、これにより、ＨＤ用対物レンズ１１０を経由したＨＤ反射光、ＤＶＤ反射光およびＣＤ反射光から分離される。
【０１００】
図５の構成例によれば、上記図１の場合と同様、光検出器１２２上において、ＢＤ反射光が他の反射光から分離され、それぞれ異なるセンサーパターン上に収束されるため、一方の対物レンズを用いて記録再生が行われる場合に、当該対物レンズを経由した反射光を受光するセンサーパターンに、他方の対物レンズを経由した不要な反射光が入射するのを抑制することができ、この不要な反射光が、再生ＲＦ信号や、フォーカスエラー信号、トラッキングエラー信号に悪影響を及ぼす惧れを解消することができる。
【０１０１】
また、この構成例によれば、液晶素子１１１とλ／４板１１２の間に偏光性回折素子１３３を配したため、ＢＤ反射光以外の反射光は偏光性回折素子１３３を通過することはない。よって、これらの反射光に対して、偏光性回折素子１３３から不要な回折作用が付与されることはなく、また、これらの反射光に偏光性回折素子１３３による減衰が生じることもない。
【０１０２】
なお、図５の構成例では、液晶素子１１１とλ／４板１１２の間の光路に偏光性回折素子１３３を配するようにしたが、これに代えて、液晶素子１１１とλ／４板１１３の間の光路に偏光性回折素子を配するようにすることもできる。ただし、この場合には、Ｓ偏光であるＨＤ反射光に回折作用を付与する必要から、偏光性回折素子は、Ｓ偏光にのみ回折作用を付与するよう構成する必要がある。具体的には、図２に示す構成において、ｎｐ＝ｎ１、ｎｓ≠ｎ１となる複屈折材料にてブレーズ型回折構造１４１ｂを構成する。また、この場合には、ＨＤ反射光の他、ＤＶＤ反射光およびＣＤ反射光が偏光性回折素子を通過するため、これら反射光に対しても偏光性回折素子による作用が付与されることがあり得る。したがって、この場合には、ＤＶＤ反射光とＣＤ反射光に対する作用を抑制するための工夫が偏光性回折素子に必要となる。
【０１０３】
なお、液晶素子１１１とλ／４板１１３の間の光路に偏光性回折素子を配する場合には、ＨＤ反射光の他、ＤＶＤ反射光および／またはＣＤ反射光にも、偏光性回折素子によって回折作用を付与するようにしても良い。ただし、この場合には、これらレーザ光を同一のセンサーパターン上に導くために、これらレーザ光に同様の回折作用が付与されるよう偏光性回折素子を構成する必要がある。
【０１０４】
なお、上記実施の形態では、ＤＶＤ用レーザ１０４とＣＤ用レーザ１０６を個別に配するようにしたが、一つのＣＡＮ内にＤＶＤ用レーザ光とＣＤ用レーザ光をそれぞれ出射する２つのレーザ素子を収容した、いわゆる２波長レーザを用いて光学系を構成することもでき、さらに、ＨＤ／ＤＶＤ用レーザ光と、ＤＶＤ用レーザ光およびＣＤ用レーザ光をそれぞれ出射する３つのレーザ素子を一つのＣＡＮ内に収容した、いわゆる３波長レーザを用いて光学系を構成することもできる。
【０１０５】
図６は、２波長レーザを用いる場合の光学系の構成例を示す図である。
【０１０６】
図において、１４１は、ＤＶＤ用レーザ光とＣＤ用レーザ光を同一方向に出射する２波長レーザ、１４２は、ＤＶＤ用レーザ光とＣＤ用レーザ光をそれぞれメインビームとサブビームに分割する波長選択性回折格子である。なお、波長選択性回折格子１４２には、ＤＶＤ用レーザ光をインライン方式のＤＰＰ法に従う３ビームに分割する波長依存性の格子パターンと、ＣＤ用レーザ光を通常のＤＰＰ法に従う３ビームに分割する波長依存性の格子パターンが保持されている。
【０１０７】
本構成例において、ＨＤ／ＢＤ用レーザ１０１、回折格子１０２およびダイクロプリズム１０３と、２波長レーザ１４１および波長選択性回折格子１４２は、ダイクロプリズム１０３を経由した後のＨＤ／ＢＤ用レーザ光とＤＶＤ用レーザ光の光軸が互いに一致するよう配置されている。これは、ＤＶＤ用レーザ光の方がＣＤ用レーザ光に比べて、ＨＤ/ＤＶＤ/ＣＤ用対物レンズ１１８に対する軸外特性の劣化度合いが高いことによるものである。したがって、ダイクロプリズム１０３を経由した後は、ＣＤ用レーザ光のみが他のレーザ光に対して光軸ずれを起こしている。なお、図６には、ＣＤ用レーザ光の光軸が点線で示されている。
【０１０８】
本構成例では、ＣＤ反射光とＢＤ反射光を共通のセンサで受光できるよう、ＣＤ用レーザ光の発光点位置と偏光性回折素子１２１による回折作用が、以下のように調整されている。
【０１０９】
ＣＤ反射光は、ＤＶＤ反射光とＨＤ反射光の共通光軸に対し、２波長レーザ１４１の発光点間隔（光軸間ギャップ）に応じた距離ｄだけ離間した状態で、光検出器１２２の受光面に入射する。したがって、この距離ｄだけ共通光軸から同様にずれるよう、ＢＤ反射光に偏光性回折素子１２１にて回折作用を付与すれば、ＣＤ反射光とＢＤ反射光を光検出器１２２上の同一位置に導くことができ、よって、ＣＤ反射光とＢＤ反射光を共通のセンサーパターンにて受光することができる。本構成例では、このように共通のセンサーパターンにてＣＤ反射光とＢＤ反射光を受光できるよう、２波長レーザ１４１の発光点間隔（光軸間ギャップ）およびＣＤ用レーザ光の発光点位置と偏光性回折素子１２１による回折作用が調整されている。
【０１１０】
図７は、本構成例におけるメインビームおよびサブビームの配置状態とセンサーパターンを示す図である。図示の如く、本構成例では、ＢＤ反射光とＣＤ反射光のメインビームが、４分割センサ２０ａに照射され、２つのサブビームは、それぞれ２分割センサ２０ｂ、２０ｃに照射される。また、ＨＤ反射光とＤＶＤ反射のメインビームは、４分割センサ３０ａに照射され、２つのサブビームは、それぞれ２分割センサ３０ｂ、３０ｃに照射される。なお、ＣＤ反射光の２つのサブビームは、通常のＤＰＰ法に従うよう回折されているため、同図（ｃ）に示すスポット状態よりも分割線方向にややずれた位置に収束される。
【０１１１】
本構成例においても、上記実施の形態の場合と同様の効果を奏することができる。加えて、本構成例では、図１に示すＤＶＤ用レーザ１０４とＣＤ用レーザ１０６を２波長レーザ１４１に置き換えたため、上記実施の形態に比べ、半導体レーザの部品点数を一つ削減することができ、さらに、これに伴って、ダイクロプリズム１０８を削減することができる。また、本構成例では、ＣＤ反射光とＢＤ反射光を受光するセンサーパターンが共通化されるため、光検出器１２２に配するセンサーパターンの構成は、上記図３の場合に比べ複雑化することはない。
【０１１２】
図８は、上記図６の構成例と同様、２波長レーザ１４１を用いた場合の他の構成例を示す図である。
【０１１３】
本構成例では、２波長レーザ１４１と波長選択性回折格子１４２の間に、ＣＤ用レーザ光の光軸をＤＶＤ用レーザ光の光軸に整合させるための波長選択性回折格子１４３が配されている。ダイクロプリズム１０３を経由した後のＨＤ／ＢＤ用レーザ光と、ＤＶＤ用レーザ光およびＣＤ用レーザ光の光軸は互いに一致している。したがって、各波長のレーザ光は、偏光ビームスプリッタ１０９に入射した後、上記図１の場合と同様の光路を辿る。
【０１１４】
本構成例におけるセンサーパターンは、図３の場合と同様である。すなわち、ＢＤ用反射光は、図３におけるＢＤ用センサ１２２ａによって受光され、ＨＤ反射光、ＤＶＤ反射光およびＣＤ反射光は、図３におけるＨＤ/ＤＶＤ/ＣＤ用センサ１２２ｂによって受光される。
【０１１５】
本構成例によれば、上記図１の場合と同様の効果を奏することができる。また、２波長レーザ光を用いたため、上記図１の場合に比べ、半導体レーザの部品点数を削減できるとの効果が奏される。
【０１１６】
なお、図８の構成例では、波長選択性回折格子１４３を２波長レーザ１４１と波長選択性回折格子１４２の間に配したが、波長選択性回折格子１４２とダイクロプリズム１０３の間に波長選択性回折格子１４３を配しても良い。また、分光ミラー１１０と光検出器１２２の間に波長選択性回折格子１２３を配置し、光検出器１２２の受光面上におけるＣＤ反射光の光軸ずれを抑制するようにしても良い。
【０１１７】
ところで、上記構成例では、偏光ミラー面１１０ａを透過したレーザ光をミラー面１１０ｂにて反射するようにしたが、偏光ミラー面１１０ａによって反射されたレーザ光をミラー面によって反射するようにすることもできる。
【０１１８】
図９は、この場合の光学系の構成例を示す図である。
【０１１９】
この光学系では、ダイクロプリズム１０８によって反射された各波長のレーザ光がＹ軸方向から偏光ミラー面１１０ａに入射される。また、ＤＶＤ用レーザ１０４とＣＤ用レーザ１０６は、ＤＶＤ用レーザ光とＣＤ用レーザ光が偏光ミラー面１１０ａに対してＳ偏光で入射するよう配置され、ＨＤ／ＢＤ用レーザ１０１は、偏光ミラー面１１０ａに対するＰ偏光とＳ偏光の比率が１：１となる偏光方向にてＨＤ／ＢＤ用レーザ光が分光ミラー１１０に入射するよう配置されている。
【０１２０】
偏光ミラー面１１０ａに入射されたレーザ光のうち、ＨＤ／ＢＤ用レーザ光は、その半分が偏光ミラー面１１０ａにて反射され、残り半分は偏光ミラー面１１０ａを透過する。また、ＤＶＤ用レーザ光とＣＤ用レーザ光は、それぞれ、偏光ミラー面１１０ａによって反射される。偏光ミラー面１１０ａを透過したＨＤ／ＢＤ用レーザ光は、λ／４板１１２にて円偏光に変換された後、立ち上げミラー１１４によってＺ軸方向に反射され、ＢＤ用対物レンズ１１７に入射される。偏光ミラー面１１０ａによって反射されたＨＤ／ＢＤ用レーザ光、ＤＶＤ用レーザ光およびＣＤ用レーザ光は、ミラー面１１０ｂにて反射された後、λ／４板１１３にて円偏光に変換された後、立ち上げミラー１１５によってＺ軸方向に反射され、ＨＤ/ＤＶＤ/ＣＤ用対物レンズ１１８に入射される。
【０１２１】
図９の構成例においても、上記図１ないし図８の場合と同様の効果を奏することができる。なお、図９の構成例では、ＢＤ反射光が偏光性回折素子１２１にＳ偏光にて入射されるため、偏光性回折素子１２１は、Ｓ偏光に対して回折作用を付与するよう構成される必要がある。
【０１２２】
ところで、上記では、立ち上げミラー１１４、１１５にてレーザ光を対応する対物レンズの方向に反射するようにしたが、図１０に示すように、λ／４板１１２、１１３を通過したレーザ光を、立ち上げミラーを介さずに、そのままＢＤ用対物レンズ１１７とＨＤ/ＤＶＤ/ＣＤ用対物レンズ１１８に入射させるようにすることもできる。ただし、この場合は、偏光ミラー面１１０ａの真下にアナモレンズ１２０から光検出器１２２の光学素子を配するスペースが必要となるため、上記構成例に比べ、光ピックアップ装置の厚みが大きくなる。
【０１２３】
また、上記構成例では、偏光性回折素子１２１を配してＢＤ反射光とＨＤ反射光を光検出器上で分離するようにしたが、偏光性回折素子１２１を省略した光学系とすることもできる。この場合、ＨＤ／ＢＤ用レーザ１０１を点灯すると、ＨＤ反射光とＢＤ反射光が光検出器１２２上の同じ光軸位置に導かれることとなるが、本実施の形態のように、対象ディスクの基板厚が大きく異なる場合（ＨＤ基板厚：０．６ｍｍ、ＢＤ基板厚：０．１ｍｍ）には、一方の対物レンズに対してフォーカスの引き込みがなされると、他方の対物レンズはオンフォーカス位置から大きくずれた位置に位置づけられることとなり、このため、他方の対物レンズを経由した反射光は、光検出器１２２上に収束せず、広範囲に広がった状態で光検出器１２２に照射される。したがって、他方の対物レンズを経由した不要な反射光が光検出器１２２の同一光軸位置に導かれたとしても、この不要な反射光が、再生ＲＦ信号や、フォーカスエラー信号、トラッキングエラー信号に及ぼす影響は、比較的小さいものとなる。したがって、このように基板厚が大きく異なる場合には、偏光性回折素子１２１を省略した光学系とすることもできる。
【０１２４】
なお、各対物レンズに入射させるレーザ光は、上記構成例に示したものに限定されるものではなく、光ピックアップ装置の仕様に応じて適宜変更され得るものである。
【０１２５】
また、上記構成例では、トラッキングエラー信号の生成手法として、インライン方式のＤＰＰ法と通常のＤＰＰ法を用いたが、これらに限らず、たとえば、再生専用タイプの光ピックアップ装置では、１ビームプッシュプル法等を用いることもできる。
【０１２６】
また、上記構成例では、偏光性回折素子にブレーズ型の回折構造を形成するようにしたが、これに代えて、階段状の回折構造を形成するようにしても良い。なお、階段状の回折構造でも、＋１次光、または、−１次光の回折効率を他の次数の光以上に高めることは可能である。ただし、この場合には、回折効率の関係から、不要次数の光が不要光として光検出器に入射され、この不要光が検出信号に悪影響を及ぼす惧れがある。
【０１２７】
また、上記構成例では、レーザ光軸を軸とするＨＤ／ＢＤ用レーザ１０１、ＤＶＤ用レーザ１０４およびＣＤ用レーザ１０６の回転位置を調整することにより、偏光ミラー面１１０ａに対する各レーザ光の偏光方向を調整するようにしたが、たとえば、るＨＤ／ＢＤ用レーザ１０１、ＤＶＤ用レーザ１０４およびＣＤ用レーザ１０６の後段側にλ／２板を配置し、レーザ光軸を軸とするλ／２板の回転位置を調整することにより、偏光ミラー面１１０ａに対する各レーザ光の偏光方向を調整するようにすることもできる。この場合、レーザ光軸を軸とするＨＤ／ＢＤ用レーザ１０１、ＤＶＤ用レーザ１０４およびＣＤ用レーザ１０６の回転位置を調整することにより、ディスク上における集光スポットの長軸方向をトラックに対して任意の方向に向けることができる。ここで、ここで、たとえば、集光スポットの長軸をディスクラジアル方向に設定すると、再生信号の符号間干渉を低減することができ、また、ウォブル形状のトラックから、良好なウォブル信号を得ることができる。また、集光スポットの長軸をディスクタンジェンシャル方向に設定すると、再生信号に対する隣接トラックからのクロストークを低減することができ、また、隣接トラックに対するクロスイレースを低減することができる。
【０１２８】
さらに、上記構成例では、液晶素子１１１を駆動することにより収差補正を行うようにしたが、ビームエキスパンダを駆動することにより収差を補正するようにしても良い。
【０１２９】
この他、本発明の実施の形態は、特許請求の範囲に示された技術的思想の範囲内において、適宜、種々の変更が可能である。
【図面の簡単な説明】
【０１３０】
【図１】実施の形態に係る光ピックアップ装置の光学系を示す図
【図２】実施の形態に係る偏光性回折素子の構成を示す図
【図３】実施の形態に係るスポット配置とセンサーパターンを示す図
【図４】実施の形態に係る演算回路の構成を示す図
【図５】実施の形態に係る光ピックアップ装置の光学系の変更例を示す図
【図６】実施の形態に係る光ピックアップ装置の光学系の変更例を示す図
【図７】実施の形態に係るスポット配置とセンサーパターンを示す図
【図８】実施の形態に係る光ピックアップ装置の光学系の変更例を示す図
【図９】実施の形態に係る光ピックアップ装置の光学系の変更例を示す図
【図１０】実施の形態に係る光ピックアップ装置の光学系の変更例を示す図
【図１１】従来例を説明する図
【符号の説明】
【０１３１】
１０１          ＨＤ／ＢＤ用レーザ（第１の光源）
１０３、１０８  ダイクロプリズム（光学素子）
１０４          ＤＶＤ用レーザ（第２の光源）
１０６          ＣＤ用レーザ（第２の光源）
１１０ａ        偏光ミラー面（偏光ビームスプリッタ）
１１０ｂ        ミラー面（ミラー）
１１２、１１３  λ／４板
１１７          ＢＤ用対物レンズ（第１の対物レンズ）
１１８          ＨＤ/ＤＶＤ/ＣＤ用対物レンズ（第２の対物レンズ）
１２１          偏光性回折素子
１２２          光検出器
１２２ａ        ＢＤ用センサ（第１のセンサーパターン）
１２２ｂ        ＨＤ/ＤＶＤ/ＣＤ用センサ（第２のセンサーパターン）
１２２ｃ        ＢＤ／ＣＤ用センサ（第１のセンサーパターン）
１２２ｄ        ＨＤ/ＤＶＤ用センサ（第２のセンサーパターン）
１３１          偏光ビームスプリッタ
１３２          ミラー
１４１          ２波長レーザ（第２の光源）
１４３          波長選択性回折格子
【図１】
2008047200.tif 000003
【図２】
2008047200.tif 000004
【図３】
2008047200.tif 000005
【図４】
2008047200.tif 000006
【図５】
2008047200.tif 000007
【図６】
2008047200.tif 000008
【図７】
2008047200.tif 000009
【図８】
2008047200.tif 000010
【図９】
2008047200.tif 000011
【図１０】
2008047200.tif 000012
【図１１】
2008047200.tif 000013